(57)【要約】【課題】給電装置からの電力を適切な電圧で受電できるようにする。【解決手段】撮像装置は、通信インターフェースを介して給電装置に接続される撮像装置であって、撮像装置の温度を取得する第１の取得手段と、撮像装置の消費電力を取得する第２の取得手段と、撮像装置の温度と撮像装置の消費電力に基づき、電圧を決定する決定手段と、通信インターフェースを介して、決定した電圧の給電を給電装置に要求し、決定した電圧で給電装置からの電力を受電する受電手段とを有する。【選択図】図３
2019121963.tif 000002
【特許請求の範囲】
【請求項１】
通信インターフェースを介して給電装置に接続される撮像装置であって、
前記撮像装置の温度を取得する第１の取得手段と、
前記撮像装置の消費電力を取得する第２の取得手段と、
前記撮像装置の温度と前記撮像装置の消費電力に基づき、電圧を決定する決定手段と、
前記通信インターフェースを介して、前記決定した電圧の給電を前記給電装置に要求し、前記給電装置からの電力を前記決定した電圧で受電する受電手段と
を有することを特徴とする撮像装置。
【請求項２】
前記撮像装置の消費電力の第１の閾値以上の変化が検出された場合、前記決定手段は、前記撮像装置の温度と前記撮像装置の消費電力に基づき、電圧を決定し、前記受電手段は、前記通信インターフェースを介して、前記決定した電圧の給電を前記給電装置に要求し、前記給電装置からの電力を前記決定した電圧で受電することを特徴とする請求項１に記載の撮像装置。
【請求項３】
前記撮像装置の温度の第２の閾値以上の変化が検出された場合、前記決定手段は、前記撮像装置の温度と前記撮像装置の消費電力に基づき、電圧を決定し、前記受電手段は、前記通信インターフェースを介して、前記決定した電圧の給電を前記給電装置に要求し、前記給電装置からの電力を前記決定した電圧で受電することを特徴とする請求項１に記載の撮像装置。
【請求項４】
所定時間間隔で、前記決定手段は、前記撮像装置の温度と前記撮像装置の消費電力に基づき、電圧を決定し、前記受電手段は、前記通信インターフェースを介して、前記決定した電圧の給電を前記給電装置に要求し、前記給電装置からの電力を前記決定した電圧で受電することを特徴とする請求項１に記載の撮像装置。
【請求項５】
前記決定手段は、前記撮像装置の動作上限温度と前記取得した撮像装置の温度との差分に基づき、電圧を決定することを特徴とする請求項１から４のいずれか１項に記載の撮像装置。
【請求項６】
前記撮像装置の温度は、撮像素子の温度、プロセッサの温度、記憶媒体の温度、前記撮像装置の外気の温度、前記撮像装置の内部基板の温度、または前記撮像装置の筺体の温度であることを特徴とする請求項１から５のいずれか１項に記載の撮像装置。
【請求項７】
前記決定した電圧は、ＵＳＢ  ＰＤ規格に準拠した電圧であることを特徴とする請求項１から６のいずれか１項に記載の撮像装置。
【請求項８】
通信インターフェースを介して給電装置に接続される撮像装置の制御方法であって、
前記撮像装置の温度を取得するステップと、
前記撮像装置の消費電力を取得するステップと、
前記撮像装置の温度と前記撮像装置の消費電力に基づき、電圧を決定するステップと、
前記通信インターフェースを介して、前記決定した電圧の給電を前記給電装置に要求し、前記給電装置からの電力を前記決定した電圧で受電するステップと
を有することを特徴とする制御方法。
【請求項９】
コンピュータを、
撮像装置の温度を取得する第１の取得手段と、
前記撮像装置の消費電力を取得する第２の取得手段と、
前記撮像装置の温度と前記撮像装置の消費電力に基づき、電圧を決定する決定手段と、
通信インターフェースを介して、前記決定した電圧の給電を給電装置に要求し、前記給電装置からの電力を前記決定した電圧で受電する受電手段
として機能させるためのプログラム。
【発明の詳細な説明】
【技術分野】
【０００１】
本発明は、撮像装置およびその制御方法並びにそれらに関連するプログラムに関する。
【背景技術】
【０００２】
ＵＳＢ（Ｕｎｉｖｅｒｓａｌ  Ｓｅｒｉａｌ  Ｂｕｓ）規格に準拠した規格の一つとしてＵＳＢ  Ｐｏｗｅｒ  Ｄｅｌｉｖｅｒｙ（ＵＳＢ  ＰＤ）規格が知られている。ＵＳＢ  ＰＤ規格は、ＵＳＢ規格に比べ、大きな電力供給を行うことができる。ＵＳＢ  ＰＤ規格では、撮像装置と給電装置は、供給電圧および電流の交渉を行う。給電装置は、撮像装置に最大で１００Ｗの電力を供給することができる。ＵＳＢ  ＰＤ規格を用いれば、給電装置からの電力で撮像装置を駆動することができる（特許文献１参照）。
【先行技術文献】
【特許文献】
【０００３】
【特許文献１】特開２００８−２５９３１５号公報
【発明の概要】
【発明が解決しようとする課題】
【０００４】
撮像装置は、給電装置から供給された電圧をシステム電圧に変換することにより、温度が上昇する。給電装置から供給される電圧がシステム電圧よりも高い場合、撮像装置の温度が上昇し過ぎてしまい、撮像装置が動作を停止してしまう可能性がある。
【０００５】
そこで、本発明は、給電装置からの電力を適切な電圧で受電できるようにすることを目的とする。
【課題を解決するための手段】
【０００６】
本発明に係る撮像装置は、通信インターフェースを介して給電装置に接続される撮像装置であって、前記撮像装置の温度を取得する第１の取得手段と、前記撮像装置の消費電力を取得する第２の取得手段と、前記撮像装置の温度と前記撮像装置の消費電力に基づき、電圧を決定する決定手段と、前記通信インターフェースを介して、前記決定した電圧の給電を前記給電装置に要求し、前記給電装置からの電力を前記決定した電圧で受電する受電手段とを有する。
本発明に係る制御方法は、通信インターフェースを介して給電装置に接続される撮像装置の制御方法であって、前記撮像装置の温度を取得するステップと、前記撮像装置の消費電力を取得するステップと、前記撮像装置の温度と前記撮像装置の消費電力に基づき、電圧を決定するステップと、前記通信インターフェースを介して、前記決定した電圧の給電を前記給電装置に要求し、前記給電装置からの電力を前記決定した電圧で受電するステップとを有する。
本発明に係るプログラムは、コンピュータを、撮像装置の温度を取得する第１の取得手段と、前記撮像装置の消費電力を取得する第２の取得手段と、前記撮像装置の温度と前記撮像装置の消費電力に基づき、電圧を決定する決定手段と、通信インターフェースを介して、前記決定した電圧の給電を給電装置に要求し、前記給電装置からの電力を前記決定した電圧で受電する受電手段として機能させる。
【発明の効果】
【０００７】
本発明によれば、給電装置からの電力を適切な電圧で受電することができる。
【図面の簡単な説明】
【０００８】
【図１】撮像装置１００の構成要素の一例を説明するためのブロック図である。
【図２】ＵＳＢ部１０８の構成要素の一例を説明するためのブロック図である。
【図３】第１の供給電圧選択方法を説明するためのフローチャートである。
【図４】第２の供給電圧選択方法を説明するためのフローチャートである。
【図５】変換ロス許容値テーブルの一例を説明するための図である。
【図６】変換ロステーブルの一例を説明するための図である。
【図７】供給電圧から電池電圧へ変換する効率の一例を説明するための図である。
【発明を実施するための形態】
【０００９】
［実施形態１］
図１は、実施形態１における撮像装置１００の構成要素の一例を説明するためのブロック図である。撮像装置１００は、デジタルカメラまたはデジタルビデオカメラとして動作可能な装置である。撮像装置１００は、スマートフォン、タブレット、工業用カメラ、医療用カメラなどであってもよい。
【００１０】
レンズユニット１０１は、撮像素子１０２の撮像面に被写体の光学像を結像させる。撮像素子１０２は、撮像面に結像された光学像から画像データを生成する。プロセッサ１０３は、所定の画像処理および所定の符号化処理を行うことにより、撮像素子１０２で生成された画像データを処理する。プロセッサ１０３で処理された画像データは、記憶媒体１０５に記録され、表示パネル１０７に表示される。さらに、プロセッサ１０３は、メモリ１０４に格納されているプログラムを実行することにより、撮像装置１００の各構成要素を制御する。ＵＳＢ部１０８は、ＵＳＢ規格、ＵＳＢ  Ｔｙｐｅ−Ｃ規格、ＵＳＢ  ＰＤ規格などに準拠する。
【００１１】
メモリ１０４は、撮像装置１００の各構成要素を制御するためのプログラムを格納したメモリである。メモリ１０４は、プロセッサ１０３で用いられる様々な情報およびデータを格納したメモリでもある。例えば、動作モード毎の消費電力情報、動作モード情報、撮像装置１００の状態をユーザに通知するための画像データなどは、メモリ１０４に格納されている。記憶媒体１０５は、プロセッサ１０３で符号化された画像データを保存する記憶媒体（例：メモリカード）である。ＵＩ（ユーザインターフェース）部１０６は、ユーザが撮像装置１００を操作するユーザインターフェースである。表示パネル１０７は、撮像する画像の確認のための表示、撮像した画像の再生確認のための表示、および撮像装置１００の動作モードなどの表示を行う表示部である。電池１１０は、撮像装置１００が動作するための電力を供給する電源（例：リチウムイオン電池）である。
【００１２】
電源回路１０９は、電池１０８またはＵＳＢ部１０８から供給される電圧を、レンズユニット１０１、撮像素子１０２、およびプロセッサ１０３などの各構成要素で使用する電圧に変換する。ＵＳＢ部１０８は、図２に示すように、ＵＳＢケーブル２０２を介して給電装置２００（例：パーソナルコンピュータ）と接続され、記憶媒体１０５に記録した画像データを給電装置２００へ転送する。
【００１３】
温度センサ１１１〜１１４は、例えばサーミスタであり、プロセッサ１０３に接続され各構成要素の温度を検出する。温度センサ１１１は、撮像素子１０２の温度を検出するための温度センサである。温度センサ１１２は、記憶媒体１０５の温度を検出するための温度センサである。温度センサ１１３は、プロセッサ１０３の温度を検出するための温度センサである。温度センサ１１４は、外気を検出するための温度センサである。
【００１４】
撮像装置１００は、画像（静止画または動画）を撮像する「撮像モード」、撮像した画像を再生する「再生モード」、および記憶媒体１０５に保存したデータを給電装置２００へ転送する「データ転送モード」などの複数の動作モードを有する。実施形態１では、メモリ１０４は、撮像装置１００の動作モード毎の消費電力情報を予め記憶している。また、撮像素子１０２は、動作温度条件が規定されている。メモリ１０４は、撮像素子１０２の動作温度条件を予め記憶している。
【００１５】
プロセッサ１０３は、温度センサ１１１が検出した撮像素子１０２の温度を取得し、メモリ１０４に予め記憶されている撮像素子１０２の動作上限温度と撮像素子１０２の検出温度との差分に基づき、動作停止までの温度余裕を計算する。
【００１６】
次に、図２を参照して、ＵＳＢ部１０８の構成要素の一例を説明する。撮像装置１００は、ＵＳＢケーブル２０２を介して、給電装置２００に接続される。ＵＳＢ部１０８は、ＵＳＢコネクタ２０３および受電回路２０４を有する。受電回路２０４は、電圧変換回路２０５および通信インターフェース２０６を有する。給電装置２００は、給電回路２１１、通信インターフェース２１２およびプロセッサ２１３を有する。
【００１７】
ＵＳＢコネクタ２０３は、ＵＳＢケーブル２０２に接続されるコネクタである。ＵＳＢコネクタ２０３は、データ通信線のＤ＋／Ｄ−端子およびＳＳ＋／ＳＳ−端子と、グラウンド信号のＧＮＤ端子と、電力供給線のＶＢＵＳ端子と、ＣＣ（ｃｏｎｆｉｇｕｒａｔｉｏｎ  ｃｈａｎｎｅｌ）端子などを有する。ＣＣ端子は、ＵＳＢ  Ｔｙｐｅ−Ｃ規格およびＵＳＢ  ＰＤ規格に準拠した端子であり、ＵＳＢ  ＰＤ規格に準拠した給電交渉に用いられる端子である。
【００１８】
電圧変換回路２０５は、ＵＳＢコネクタ２０３のＶＢＵＳ端子を介して給電装置２００の給電回路２１１から供給された電圧を撮像装置１００のシステム電圧に変換し、そのシステム電圧を電源回路１０９に供給する。電源回路１０９は、そのシステム電圧を各構成要素で使用する電圧に変換する。
【００１９】
通信インターフェース２０６は、ＵＳＢコネクタ２０３のＣＣ端子を介して、給電装置２００の通信インターフェース２１２に接続される。通信インターフェース２０６は、プロセッサ１０３の制御の下、撮像装置１００と給電装置２００との間の調停を行う。
【００２０】
ＵＳＢの標準電力供給時、給電装置２００内の給電回路２１１は、（５Ｖ，５００ｍＡ）の電力を、ＶＢＵＳ端子を介して、撮像装置１００内の電圧変換回路２０５に供給する。一方、ＵＳＢ  ＰＤによる電力供給時、給電装置２００内の給電回路２１１は、例えば、１０Ｗ（５Ｖ，２Ａ）から１００Ｗ（２０Ｖ，５Ａ）までの電力を、ＶＢＵＳ端子を介して、撮像装置１００内の電圧変換回路２０５に供給することができる。
【００２１】
次に、ＵＳＢ  ＰＤ規格に準拠した電力供給が開始されるまでを説明する。撮像装置１００は、給電装置２００がＵＳＢを介して接続されると、撮像装置１００内の不図示のプルダウン抵抗と、給電装置２００内の不図示のプルアップ抵抗により決まるＣＣ端子の電圧を検出する。撮像装置１００は、ＣＣ端子の電圧に基づき、給電装置２００がＵＳＢ規格に準拠した標準電力（例：５Ｖ，５００ｍＡ）を供給する装置であるか否かを判定する。給電装置２００がＵＳＢ規格に準拠した標準電力を供給する装置である場合、撮像装置１００は、ＵＳＢ規格に準拠した標準電力で起動する。続いて、撮像装置１００は、ＣＣ端子を介して、給電装置２００とＵＳＢ  ＰＤ規格に準拠した給電交渉を行い、供給電圧と供給電流の組み合わせを設定する。例えば、撮像装置１００（Ｃｏｎｓｕｍｅｒ）は、給電装置２００（Ｐｒｏｖｉｄｅｒ）に、ＵＳＢ  ＰＤ規格に準拠した供給能力（供給可能な電圧と電流の組み合わせ）を要求する。次に、給電装置２００は、撮像装置１００にＵＳＢ  ＰＤ規格に準拠した供給能力を応答する。撮像装置１００は、給電装置２００から応答された供給能力の中から希望する電圧と電流の組み合わせがあると判定した場合、希望する電圧と電流の組み合わせを示す供給電力設定情報を給電装置２００に送信する。すると、給電装置２００は、受信した供給電力設定情報に基づき、給電回路２１１で昇圧処理または降圧処理を行い、所望の電力をＶＢＵＳ端子経由で撮像装置１００に供給する。また、プロセッサ１０３は、給電装置２００から応答された供給能力の中に希望する電圧と電流の組み合わせがないと判定した場合、ＵＳＢ  ＰＤ規格に準拠した電力供給は中止される。
【００２２】
以上のように、撮像装置１００は、給電装置２００との通信により、ＵＳＢ  ＰＤ規格に準拠した供給電圧を設定することができる。供給電圧は、例えば、５Ｖ、９Ｖ、１２Ｖ、１５Ｖなどである。電圧変換回路２０５は、給電装置２００から供給された電力をシステム動作に必要なシステム電圧に変換する。例えば、撮像装置１００が２セルリチウムイオン電池を電力源として動作する場合、電圧変換回路２０５は、一般的に８．４Ｖ前後のシステム電圧に変換する。また、撮像装置１００が４セルリチウムイオン電池を電力源として動作する場合、電圧変換回路２０５は、一般的に１６．８Ｖ前後のシステム電圧に変換する。撮像装置１００は、小型化と高機能化が求められている。結果として、体積当たりの電力密度は、増加の一途をたどっている。
【００２３】
次に、図７を参照しながら、電圧変換回路２０５がＵＳＢ  ＰＤ規格に準拠した供給電圧から４セルリチウムイオン電池電圧（例：１６．８Ｖ）へ変換する効率の一例を説明する。電圧変換回路２０５は、降圧回路および昇圧回路を有する。電圧変換回路２０５は、一般的に、電圧を下げる降圧回路よりも電圧を上げる昇圧回路の方が、変換ロスが大きい。また、電圧変換回路２０５は、昇降圧回路を有する。昇降圧回路は、入力電圧または負荷電流に応じて、降圧と昇圧を切り替えて動作する。昇降圧回路は、降圧回路と昇圧回路の変換ロスの間の変換ロスである。また、電圧変換回路２０５は、入力電圧と出力電圧との電圧差が大きければ大きいほど、効率が悪化する。
【００２４】
電圧変換回路２０５は、電圧変換ロスにより、熱が発生する。電圧変換回路２０５の電圧変換ロスが増えると、撮像装置１００内部の温度が上昇し、プロセッサ１０３または撮像素子１０２の動作停止が発生する場合がある。ここで、電圧変換回路２０５は、給電装置２００から、システム電圧にできるだけ近く、かつ、システム電圧より高い電圧の供給を受けることにより、変換ロスを低減することができる。しかしながら、電圧変換回路２０５の変換ロスが最小になるような供給電圧に限定すると、給電装置２００に制約が発生し、汎用性を低下させてしまう課題がある。以下、電圧変換回路２０５の変換ロスを低減する方法を説明する。
【００２５】
次に、図３のフローチャートを参照して、撮像装置１００が行う第１の供給電圧選択方法を説明する。第１の供給電圧選択方法は、プロセッサ１０３によって制御される。図３のフローチャートは、プロセッサ１０３が起動した後、プロセッサ１０３が給電装置２００と撮像装置１００とのＵＳＢ接続を検出すると、開始される。
【００２６】
ステップＳ３０１において、プロセッサ１０３は、給電装置２００から供給される電力（ＵＳＢ規格に準拠した標準電力に相当）で撮像装置１００を起動させる。
【００２７】
ステップＳ３０２において、プロセッサ１０３は、温度センサ１１１により検出された撮像素子１０２の温度を取得する。
【００２８】
ステップＳ３０３において、プロセッサ１０３は、その取得した撮像素子１０２の温度と、メモリ１０４に予め記憶されている撮像素子１０２の動作上限温度との差分を計算する。そして、プロセッサ１０３は、その差分に基づき、撮像装置１００の動作停止までの撮像素子１０２の温度余裕を計算する。そして、プロセッサ１０３は、メモリ１０４に予め記憶されている消費電力テーブルを参照し、撮像装置１００の動作モードに応じた消費電力を取得する。
【００２９】
ステップＳ３０４において、プロセッサ１０３は、メモリ１０４に予め記憶されている変換ロス許容値テーブルを参照し、ステップＳ３０３で取得した撮像素子１０２の温度余裕、および、撮像装置１００の消費電力に基づき、変換ロス許容値を決定する。
【００３０】
図５を参照して、変換ロス許容値テーブルの一例を説明する。例えば、撮像素子１０２の温度が６０℃であり、メモリ１０４に予め記憶している動作上限温度が７５°Ｃの場合、温度余裕は−１５℃となる。プロセッサ１０３は、図５の変換ロス許容値テーブルを参照し、温度余裕が−１５°であり、撮像装置１００の消費電力が１０Ｗの場合、「８Ｗ」の変換ロス許容値を決定する。
【００３１】
ステップＳ３０５において、プロセッサ１０３は、メモリ１０４に予め記憶されている変換ロステーブルに参照し、ステップＳ３０４で決定した変換ロス許容値、および、撮像装置１００の消費電力に基づき、選択可能な供給電圧を決定する。プロセッサ１０３は、ＵＳＢ  ＰＤ規格に準拠した電圧の中の一または複数の電圧を決定する。
【００３２】
図６を参照して、変換ロステーブルの一例を説明する。例えば、プロセッサ１０３は、撮像装置１００の消費電力が「１０Ｗ」であり、変換ロス許容値が「８Ｗ」である場合、変換ロスが「８Ｗ］以下になる供給電圧「９Ｖ、１２Ｖ、２０Ｖ」を決定する。供給電圧が「９Ｖ、１２Ｖ、２０Ｖ」の場合は、電圧変換ロスが変換ロス許容値「８Ｗ」以下となる。供給電圧が５Ｖの場合、電圧変換ロス「８．２Ｗ」が変換ロス許容値「８Ｗ」を超えているため、供給電圧「５Ｖ」は、選択可能な供給電圧に含まれない。
【００３３】
ステップＳ３０６において、プロセッサ１０３は、ステップＳ３０５で決定した選択可能な供給電圧を用いて、通信インターフェース２０６を介して、給電装置２００とＵＳＢ  ＰＤ規格に準拠した給電交渉を行う。
【００３４】
ステップＳ３０７において、給電交渉が成立した場合、プロセッサ１０３は、ステップＳ３０８に進む（ステップＳ３０７でＹＥＳ）。給電交渉が成立しなかった場合、プロセッサ１０３は、ステップＳ３０９に進む（ステップＳ３０７でＮＯ）。
【００３５】
ステップＳ３０８において、プロセッサ１０３は、給電装置２００が給電交渉の結果に応じて給電した電圧および電流に組み合わせの電力の受電を開始し、ステップＳ３１０に進む。
【００３６】
ステップＳ３０９において、プロセッサ１０３は、給電装置２００が給電する電力（ＵＳＢ規格に準拠した標準電力に相当）の受電を継続する。そして、プロセッサ１０３は、「ＵＳＢ  ＰＤ規格による受電ができない」旨のメッセージを表示パネル１０７に表示することにより、ユーザに通知し、ステップＳ３１０に進む。
【００３７】
ステップＳ３１０において、給電装置２００と撮像装置１００とのＵＳＢ接続の解除、給電装置２００からの給電停止のいずれも検出しない場合、プロセッサ１０３は、ステップＳ３０７に戻る（ステップＳ３１０でＮＯ）。給電装置２００と撮像装置１００とのＵＳＢ接続の解除を検出した場合、または、給電装置２００からの給電停止を検出した場合、プロセッサ１０３は、図３のフローチャートを終了する（ステップＳ３１０でＹＥＳ）。
【００３８】
なお、ステップＳ３０１およびステップＳ３０２は、上記の処理に限定されない。撮像装置１００のシステム起動後、プロセッサ１０３は、給電装置２００と撮像装置１００とのＵＳＢ接続の検出とは関連なく、一定周期で、温度センサ１１１により検出された撮像素子１０２の温度を取得してもよい。
【００３９】
また、ステップＳ３０２において、プロセッサ１０３が取得する温度は、撮像素子１０２の温度に限定されない。プロセッサ１０３は、撮像装置１００の外気の温度、プロセッサ１０３の温度、記憶媒体１０５の温度、撮像装置１００の内部基板の温度、または撮像装置１００の筺体の温度などの撮像装置１００の温度を取得してもよい。
【００４０】
以上のように、ステップＳ３０４およびＳ３０５において、プロセッサ１０４は、撮像装置１００の温度および撮像装置１００の消費電力に応じて、撮像装置１００の動作停止を回避するために、選択可能な供給電圧を決定する。撮像装置１００の動作停止の可能性が高い場合、プロセッサ１０３は、選択可能な供給電圧を限定する。これにより、電圧変換回路２０５は、ＵＳＢ  ＰＤ規格に準拠した供給電圧からシステム動作電圧への変換ロスを低減し、撮像装置１００の動作停止を抑制することができる。また、撮像装置１００の動作停止の可能性が低い場合、プロセッサ１０３は、選択可能な供給電圧を拡張することもできる。
【００４１】
なお、本発明の実施形態は上述の実施形態１に限定されるものではない。発明の要旨を逸脱しない範囲で変更または修正された上述の実施形態１も本発明の実施形態に含まれる。
【００４２】
［実施形態２］
実施形態２における撮像装置１００の構成要素は、実施形態１における撮像装置１００の構成要素と同じであるので、それらの説明を省略する。
【００４３】
図４は、実施形態２における撮像装置１００で行われる第２の供給電圧選択方法を説明するためのフローチャートである。図４のステップＳ４０１〜Ｓ４０９は、それぞれ、図３のステップＳ３０１〜Ｓ３０９と同じであるので、それらの説明を省略する。ただし、プロセッサ１０３は、ステップＳ４０８の後、ステップＳ４１０に進み、ステップＳ４０９の後、ステップＳ４１１に進む。
【００４４】
ステップＳ４１０において、プロセッサ１０３は、撮像装置１００の消費電力、撮像素子１０２の温度と、タイマの時間を取得する。撮像装置１００の消費電力の第１の閾値以上の変化と、撮像素子１０２の温度の第２の閾値以上の変化と、タイマによる所定時間の経過のいずれかが検出された場合、プロセッサ１０３は、ステップＳ４０２に戻る（ステップＳ４１０でＹＥＳ）。これにより、撮像装置１００の消費電力と撮像素子１０２の温度が変化しない場合でも、所定時間間隔で、プロセッサ１０３は、ステップＳ４１０からステップＳ４０２に戻る。
【００４５】
撮像装置１００の消費電力の所定値以上の変化と、撮像素子１０２の温度の所定値以上の変化と、タイマによる所定時間の経過のいずれも検出されなかった場合、プロセッサ１０３は、ステップＳ４１１に進む（ステップＳ４１０でＮＯ）。
【００４６】
ステップＳ４１１において、給電装置２００と撮像装置１００とのＵＳＢ接続の解除、給電装置２００からの給電停止のいずれも検出しない場合、プロセッサ１０３は、ステップＳ４１０に戻る（ステップＳ４１１でＮＯ）。給電装置２００と撮像装置１００とのＵＳＢ接続の解除した場合、または、給電装置２００からの給電停止を検出した場合、プロセッサ１０３は、図４のフローチャートを終了する（ステップＳ４１１でＹＥＳ）。
【００４７】
実施形態２によれば、撮像装置１００の動作中に、撮像装置１００の消費電力の増加または減少、撮像素子１０２の温度上昇または温度低下が生じた場合、プロセッサ１０３は、選択可能な供給電圧を再設定することができる。
【００４８】
なお、実施形態２では、撮像素子１０２の温度を対象としたが、これに限定されない。例えば、対象とする温度は、撮像装置１００の外気の温度、プロセッサ１０３の温度、記憶媒体１０５の温度、撮像装置１００の内部基板の温度、または撮像装置１００の筺体の温度などの撮像装置１００の温度でもよい。
【００４９】
なお、本発明の実施形態は上述の実施形態２に限定されるものではない。発明の要旨を逸脱しない範囲で変更または修正された上述の実施形態２も本発明の実施形態に含まれる。
【００５０】
［実施形態３］
実施形態１および２で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態３では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態３では、コンピュータＸを制御するためのプログラムであって、実施形態１および２で説明した様々な機能、処理または方法を実現するためのプログラムを「プログラムＹ」と呼ぶ。
【００５１】
実施形態１および２で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態３におけるコンピュータ読み取り可能な記憶媒体は、ｎｏｎ−ｔｒａｎｓｉｔｏｒｙな記憶媒体である。
【符号の説明】
【００５２】
１００  撮像装置、１０１  レンズユニット、１０２  撮像素子、１０３  プロセッサ、１０４  メモリ、１０５  記憶媒体、１０６  ＵＩ部、１０７  表示パネル、１０８  ＵＳＢ部、１０９  電源回路、１１０  電池、１１２  温度センサ（撮像素子用）、１１３  温度センサ（記憶媒体用）、１１４  温度センサ（外気用）、１１５  温度センサ（プロセッサ用）
【図１】
2019121963.tif 000003
【図２】
2019121963.tif 000004
【図３】
2019121963.tif 000005
【図４】
2019121963.tif 000006
【図５】
2019121963.tif 000007
【図６】
2019121963.tif 000008
【図７】
2019121963.tif 000009